【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
原料セルロースをアセチル化溶媒で処理して該セルロースを活性化する活性化工程（Ａ）、前記活性化処理により活性化したセルロースを、アセチル化溶媒中、アセチル化触媒の存在下、アセチル化剤でアセチル化するアセチル化工程（Ｂ）、反応系に反応停止剤を添加して前記アセチル化剤を失活させるアセチル化反応停止工程（Ｃ）、アセチル化反応を停止した後、生成したセルロースアセテートを酢酸中で熟成、加水分解することにより、アセチル総置換度及び置換度分布を調整する熟成工程（Ｄ）、及び熟成反応を停止させる熟成反応停止工程（Ｅ）を少なくとも含むセルロースジアセテートの製造方法であって、前記アセチル化工程（Ｂ）において、少なくとも３０〜５０℃の温度で３０分〜９０分反応させることを特徴とする位相差フィルム用セルロースジアセテートの製造方法。
【請求項２】
原料セルロースをアセチル化溶媒で処理して該セルロースを活性化する活性化工程（Ａ）、前記活性化処理により活性化したセルロースを、アセチル化溶媒中、アセチル化触媒の存在下、アセチル化剤でアセチル化するアセチル化工程（Ｂ）、反応系に反応停止剤を添加して前記アセチル化剤を失活させるアセチル化反応停止工程（Ｃ）、アセチル化反応を停止した後、生成したセルロースアセテートを酢酸中で熟成、加水分解することにより、アセチル総置換度及び置換度分布を調整する熟成工程（Ｄ）、及び熟成反応を停止させる熟成反応停止工程（Ｅ）を少なくとも含むセルロースジアセテートの製造方法であって、前記熟成工程（Ｄ）において、加水分解に用いる水の量を前記酢酸に対して５０モル％以上６５モル％未満とすることを特徴とする位相差フィルム用セルロースジアセテートの製造方法。
【請求項３】
原料セルロースをアセチル化溶媒で処理して該セルロースを活性化する活性化工程（Ａ）、前記活性化処理により活性化したセルロースを、アセチル化溶媒中、アセチル化触媒の存在下、アセチル化剤でアセチル化するアセチル化工程（Ｂ）、反応系に反応停止剤を添加して前記アセチル化剤を失活させるアセチル化反応停止工程（Ｃ）、アセチル化反応を停止した後、生成したセルロースアセテートを酢酸中で熟成、加水分解することにより、アセチル総置換度及び置換度分布を調整する熟成工程（Ｄ）、及び熟成反応を停止させる熟成反応停止工程（Ｅ）を少なくとも含むセルロースジアセテートの製造方法であって、前記アセチル化工程（Ｂ）に供する活性化セルロースとして、前記活性化工程（Ａ）における活性化処理条件の異なる複数の活性化セルロースを混合して用いることを特徴とする位相差フィルム用セルロースジアセテートの製造方法。
【請求項４】
原料セルロースをアセチル化溶媒で処理して該セルロースを活性化する活性化工程（Ａ）、前記活性化処理により活性化したセルロースを、アセチル化溶媒中、アセチル化触媒の存在下、アセチル化剤でアセチル化するアセチル化工程（Ｂ）、反応系に反応停止剤を添加して前記アセチル化剤を失活させるアセチル化反応停止工程（Ｃ）、アセチル化反応を停止した後、生成したセルロースアセテートを酢酸中で熟成、加水分解することにより、アセチル総置換度及び置換度分布を調整する熟成工程（Ｄ）、及び熟成反応を停止させる熟成反応停止工程（Ｅ）を少なくとも含むセルロースジアセテートの製造方法であって、前記工程（Ａ）〜（Ｅ）を少なくとも経て得られた粘度の異なる複数のセルロースジアセテートを混合することを特徴とする位相差フィルム用セルロースジアセテートの製造方法。
【請求項５】
前記工程（Ａ）〜（Ｅ）に加えて、さらに、前記熟成反応停止工程（Ｅ）で得られセルロースジアセテートを分別して精製する分別工程（Ｆ）を含む請求項１〜４のいずれか１項に記載の位相差フィルム用セルロースジアセテートの製造方法。
【手続補正２】
【補正対象書類名】明細書
【補正対象項目名】発明の名称
【補正方法】変更
【補正の内容】
【発明の名称】位相差フィルム用セルロースジアセテートの製造方法
【手続補正３】
【補正対象書類名】明細書
【補正対象項目名】００２７
【補正方法】変更
【補正の内容】
【００２７】
すなわち、本発明は、原料セルロースをアセチル化溶媒で処理して該セルロースを活性化する活性化工程（Ａ）、前記活性化処理により活性化したセルロースを、アセチル化溶媒中、アセチル化触媒の存在下、アセチル化剤でアセチル化するアセチル化工程（Ｂ）、反応系に反応停止剤を添加して前記アセチル化剤を失活させるアセチル化反応停止工程（Ｃ）、アセチル化反応を停止した後、生成したセルロースアセテートを酢酸中で熟成、加水分解することにより、アセチル総置換度及び置換度分布を調整する熟成工程（Ｄ）、及び熟成反応を停止させる熟成反応停止工程（Ｅ）を少なくとも含むセルロースジアセテートの製造方法であって、前記アセチル化工程（Ｂ）において、少なくとも３０〜５０℃の温度で３０分〜９０分反応させることを特徴とする位相差フィルム用セルロースジアセテートの製造方法を提供する。
本発明は、また、原料セルロースをアセチル化溶媒で処理して該セルロースを活性化する活性化工程（Ａ）、前記活性化処理により活性化したセルロースを、アセチル化溶媒中、アセチル化触媒の存在下、アセチル化剤でアセチル化するアセチル化工程（Ｂ）、反応系に反応停止剤を添加して前記アセチル化剤を失活させるアセチル化反応停止工程（Ｃ）、アセチル化反応を停止した後、生成したセルロースアセテートを酢酸中で熟成、加水分解することにより、アセチル総置換度及び置換度分布を調整する熟成工程（Ｄ）、及び熟成反応を停止させる熟成反応停止工程（Ｅ）を少なくとも含むセルロースジアセテートの製造方法であって、前記熟成工程（Ｄ）において、加水分解に用いる水の量を前記酢酸に対して５０モル％以上６５モル％未満とすることを特徴とする位相差フィルム用セルロースジアセテートの製造方法を提供する。
本発明は、さらに、原料セルロースをアセチル化溶媒で処理して該セルロースを活性化する活性化工程（Ａ）、前記活性化処理により活性化したセルロースを、アセチル化溶媒中、アセチル化触媒の存在下、アセチル化剤でアセチル化するアセチル化工程（Ｂ）、反応系に反応停止剤を添加して前記アセチル化剤を失活させるアセチル化反応停止工程（Ｃ）、アセチル化反応を停止した後、生成したセルロースアセテートを酢酸中で熟成、加水分解することにより、アセチル総置換度及び置換度分布を調整する熟成工程（Ｄ）、及び熟成反応を停止させる熟成反応停止工程（Ｅ）を少なくとも含むセルロースジアセテートの製造方法であって、前記アセチル化工程（Ｂ）に供する活性化セルロースとして、前記活性化工程（Ａ）における活性化処理条件の異なる複数の活性化セルロースを混合して用いることを特徴とする位相差フィルム用セルロースジアセテートの製造方法を提供する。
本発明は、さらにまた、原料セルロースをアセチル化溶媒で処理して該セルロースを活性化する活性化工程（Ａ）、前記活性化処理により活性化したセルロースを、アセチル化溶媒中、アセチル化触媒の存在下、アセチル化剤でアセチル化するアセチル化工程（Ｂ）、反応系に反応停止剤を添加して前記アセチル化剤を失活させるアセチル化反応停止工程（Ｃ）、アセチル化反応を停止した後、生成したセルロースアセテートを酢酸中で熟成、加水分解することにより、アセチル総置換度及び置換度分布を調整する熟成工程（Ｄ）、及び熟成反応を停止させる熟成反応停止工程（Ｅ）を少なくとも含むセルロースジアセテートの製造方法であって、前記工程（Ａ）〜（Ｅ）を少なくとも経て得られた粘度の異なる複数のセルロースジアセテートを混合することを特徴とする位相差フィルム用セルロースジアセテートの製造方法を提供する。
前記各位相差フィルム用セルロースジアセテートの製造方法は、前記工程（Ａ）〜（Ｅ）に加えて、さらに、前記熟成反応停止工程（Ｅ）で得られセルロースジアセテートを分別して精製する分別工程（Ｆ）を含んでいてもよい。